(57)【特許請求の範囲】
【請求項１】
小出し開口部（１１）が設けられたハウジング（１０）と、複数の人工まつ毛（４１）が固定される担持体ストリップ（３０）と、人工まつ毛（４１）を小出し開口部（１１）の方に送り出すために、かつ人工まつ毛（４１）が小出し開口部（１１）を通って出るのを可能にするために担持体ストリップ（３０）の移動を引き起こすように作動可能な移動機構とを備え、人工まつ毛（４１）の長さ方向が担持体ストリップ（３０）の長手方向に配向され、人工まつ毛の２つの端部は担持体ストリップ（３０）から距離を置いて位置決めされる、人工まつ毛小出し装置（１）。
【請求項２】
移動機構が、ハウジング（１０）の外側に突き出る部材によって担持体ストリップ（３０）の移動を可能にするように構成される、請求項１に記載の小出し装置（１）。
【請求項３】
移動機構が、ハウジング（１０）に対して回転可能に装着されたスプール（２１）を備え、スプール（２１）の周りでの担持体ストリップ（３０）の巻き付けは担持体ストリップ（３０）の移動を引き起こす、請求項１または２のいずれかに記載の人工まつ毛小出し装置（１）。
【請求項４】
移動機構が、スプール（２１）を回転させるための作動手段（２３）を備えて、担持体ストリップ（３０）がスプール（２１）の周りに巻き付けられるのを可能にする、請求項３に記載の人工まつ毛小出し装置（１）。
【請求項５】
ハウジング（１０）が開口部（１２）を備え、作動手段（２３）は開口部（１２）を介して動かせるスクロールホィールを備える、請求項４に記載の小出し装置（１）。
【請求項６】
スプール（２１）が第１歯車（２２）を備え、作動手段（２３）は第１歯車（２２）と噛み合い可能な第２歯車を備える、請求項４または請求項５のいずれかに記載の人工まつ毛小出し装置（１）。
【請求項７】
第２歯車が、第２歯車が使用者によって回転できるようにハウジング（１０）の外に突き出る、請求項６に記載の人工まつ毛小出し装置（１）。
【請求項８】
移動機構が、ハウジング（１０）に対して回転可能に装着されたリール（２０）を備え、担持体ストリップ（３０）の移動によって担持体ストリップ（３０）がリール（２０）から巻き戻される、請求項１から７のいずれか一項に記載の装置（１）。
【請求項９】
担持体ストリップ（３０）の一部が、複数の人工まつ毛（４１）を保管するためにリール（２０）の周りに巻き付けられる、請求項８に記載の装置（１）。
【請求項１０】
人工まつ毛（４１）が、その長手方向のまつ毛の中央部の区域で担持体ストリップ（３０）に接着される、請求項１から９のいずれか一項に記載の人工まつ毛小出し装置（１）。
【請求項１１】
人工まつ毛（４１）が担持体ストリップ（３０）上の接着剤塗膜によって担持体ストリップ（３０）に固定される、請求項１から１０のいずれか一項に記載の人工まつ毛小出し装置（１）。
【請求項１２】
移動機構が、小出し開口部（１１）の付近に配置される偏向要素（２４）をさらに備え、担持体ストリップ（３０）は移動される際、方向を変えながら偏向要素（２４）の周りを通過して、人工まつ毛が担持体ストリップ（３０）から引き離され、引き離された人工まつ毛が開口部（１１）を通って出される、請求項１から１１のいずれか一項に記載の人工まつ毛小出し装置（１）。
【請求項１３】
偏向要素（２４）が、小出し開口部（１１）から内側方向に人工まつ毛の長さ（Ｌ）未満の距離を置いて位置決めされる、請求項１２に記載の人工まつ毛小出し装置（１）。
【請求項１４】
偏向要素が、担持体ストリップが載る外側表面を有し、外側表面は０．５から４ｍｍの間の曲率半径を有する、請求項１２または請求項１３のいずれかに記載の装置（１）。
【請求項１５】
偏向要素（２４）の上流の担持体ストリップ（３０）の方向と偏向要素（２４）の下流の担持体ストリップ（３０）の方向とが１°から９０°の間、または１０°から５０°の間の角度（α）を形成する、請求項１２から１４のいずれか一項に記載の装置（１）。
【請求項１６】
小出し開口部（１１）の縁部（１１１、１１２）がピンセットの形状であり、ピンセットが閉鎖され人工まつ毛（４１）が保持されるのを可能にするようにハウジングの柔軟壁（１０１、１０２）を延長する、請求項１から１５のいずれか一項に記載の装置（１）。
【請求項１７】
人工まつ毛（４１）が人工まつ毛（４１）のユニット（４０）に組み合わされる、請求項１から１６のいずれか一項に記載の人工まつ毛小出し装置（１）。
【請求項１８】
各人工まつ毛ユニット（４０）が一房の人工まつ毛と人工まつ毛を一房に接続する接続ストリップとを備え、各人工まつ毛は一方の端部で接続ストリップに接続され、人工まつ毛の他方の端部は自由端である、請求項１７に記載の人工まつ毛小出し装置（１）。
【請求項１９】
接続ストリップが、各人工まつ毛ユニットの幅方向が担持体ストリップ（３０）の長手方向に直角になるように配向される、請求項１８に記載の人工まつ毛小出し装置（１）。
【請求項２０】
接続ストリップが担持体ストリップ（３０）から距離を置いて存在する、請求項１８または請求項１９のいずれかに記載の人工まつ毛小出し装置（１）。
【請求項２１】
各人工まつ毛ユニット（４０）が、その長手方向の人工まつ毛の中央部の区域で前記担持体ストリップ（３０）に接着される、請求項１７から２０のいずれか一項に記載の人工まつ毛小出し装置（１）。
【請求項２２】
担持体ストリップ（３０）が複数の別々の接着剤区域（３５）を備え、各人工まつ毛ユニット（４０）は、その長手方向の人工まつ毛の中央部の区域で接着剤区域（３５）に接着される、請求項１７から２１のいずれか一項に記載の人工まつ毛小出し装置（１）。
【請求項２３】
請求項１７から２２に記載の少なくとも１つの装置（１）と、
接着剤をまつ毛ユニット（４２）に塗布可能な接着剤の瓶（５１）と、
前記接着剤を溶解可能な製剤の瓶（５２）とを備える、人工まつ毛をつけるためのアセンブリ（１００）。
【発明の詳細な説明】
【技術分野】
【０００１】
本発明は、特に目に化粧を施す分野に関し、自然のまつ毛に通常「つけまつ毛」と呼ばれる人工まつ毛を加えることによって化粧を施す分野に関する。
【０００２】
本発明は人工まつ毛小出し装置に関する。
【背景技術】
【０００３】
人工まつ毛は、一般的に自然のまつ毛のボリューム、長さ、または光沢を増すため、あるいは例えば宝石と同様に顔に審美的および装飾的特徴を与えるために使用される。
【０００４】
人工まつ毛は一般的にユニットの形態で販売されており、各ユニットは一房のまつ毛と、まつ毛をそれらの基部で一緒に保持する接続ストリップとを備え、まつ毛の他方の端部は自由端である。これらのユニットは、それらの箱は初めて使用されてから僅かにしか変化していない従来型の箱で対で販売されており、したがって化粧の分野でなされた大きな技術革新の中で見過ごされてきた。
【０００５】
これらの箱は、消費者を一製品に他の製品よりも惹きつけ得る、消費者にとっての特段の審美的または楽しみの側面を有さない。実際、これらの箱を販売する会社は、色のバリエーションによってしか箱を他の製品と区別できず、まつ毛のブランドを真に特定する設計または機能の点でオリジナルな特徴を人工まつ毛用の箱に与えることができない。
【０００６】
さらに、これらの箱は、限られた量の人工まつ毛ユニット、典型的には１対しか提供しないことから、あまり実用的ではなく、このことによって、そのような箱が占める容積、ならびに販売される１対のまつ毛ユニットの価格が増大する傾向となる。これら２つの要因によって人工まつ毛の大量購入が制限される傾向となる。
【０００７】
また、まつ毛ユニットを瞼につけることは繊細な作業である。最初に、使用者は接続ストリップに接着剤を塗布しなければならない。次いで使用者は、接着剤が塗布された接続ストリップを瞼の縁部に沿って自然のまつ毛の根元部につけなければならない。これらのステップでは、まつ毛をそれらの自由端で把持することによってユニットを外す必要があり、このことはこれらが損傷される危険をもたらす。
【０００８】
したがって、１対の人工まつ毛ユニットを保管するのに必要な容積と１対のまつ毛ユニットの単価との両方が低減されることを可能にする革新的な解決法を提案することによって、人工まつ毛を含む箱に関して商業化が可能なものを拡大することが求められている。
【０００９】
人工まつ毛ユニットが容易かつ迅速に取り扱われることを可能にする人工まつ毛用箱を提案することも求められている。
【発明の概要】
【発明が解決しようとする課題】
【００１０】
本発明が取り組む課題は、人工まつ毛のつけ方をより容易にすると同時にその取扱いを限定することである。
【課題を解決するための手段】
【００１１】
この課題は、本発明の中で、小出し開口部が設けられたハウジングと、複数の人工まつ毛が固定される担持体ストリップと、人工まつ毛を小出し開口部の方に送り出すために、かつ人工まつ毛が小出し開口部を通って出るのを可能にするためにストリップの移動を引き起こすように作動可能な移動機構とを備える人工まつ毛小出し装置によって解決される。
【００１２】
有利に、しかし任意選択によって、本発明は以下の特徴のうちの少なくとも１つによって補足されてもよい。
【００１３】
移動機構は、ハウジングの外側に突き出る部材によって担持体ストリップの移動を可能にするように構成される。言い換えれば、担持体ストリップの移動は、まつ毛が取り外される担持体に対する単なるハウジングの移動によって生じない。
【００１４】
担持体ストリップ移動機構は、ハウジングに対して回転可能に装着されたスプールを備え、スプールの周りでの担持体ストリップの巻き付けは担持体ストリップの移動を引き起こす。
【００１５】
担持体ストリップ移動機構は、スプールを回転させるための作動手段を備えて、担持体ストリップがスプールの周りに巻き付けられるのを可能にする。
【００１６】
ハウジングは開口部を備え、作動手段は開口部を介して動かせるスクロールホィールを備える。
【００１７】
スプールは第１歯車を備え、作動手段は第１歯車と噛み合い可能な第２歯車を備える。
【００１８】
第２歯車は、第２歯車が使用者によって回転できるようにハウジングの外に突き出る。
【００１９】
移動機構は、ハウジングに対して回転可能に装着されたリールを備え、ストリップの移動によってストリップがリールから巻き戻される。
【００２０】
担持体ストリップの一部は、複数の人工まつ毛を保管するためにリールの周りに巻き付けられる。
【００２１】
人工まつ毛は担持体ストリップの方向に配向される。
【００２２】
まつ毛の端部は担持体ストリップから距離を置いて位置決めされる。
【００２３】
人工まつ毛は、その長手方向のまつ毛の中央部の区域で担持体ストリップに接着される。
【００２４】
人工まつ毛はストリップ上の接着剤塗膜によって担持体ストリップに固定される。
【００２５】
移動機構は、小出し開口部の付近に配置される偏向要素をさらに備え、担持体ストリップは移動される際、方向を変えながら偏向要素の周りを通過して、まつ毛が担持体ストリップから引き離され、引き離されたまつ毛が開口部を通って出される。
【００２６】
偏向要素は、小出し開口部からまつ毛の長さ未満の距離を置いて位置決めされる。
【００２７】
偏向要素は、担持体ストリップが載る外側表面を有し、外側表面は０．５ｍｍから４ｍｍの間の曲率半径を有する。
【００２８】
偏向要素の上流の担持体ストリップの方向と偏向要素の下流の担持体ストリップの方向とは１°から９０°の間、好ましくは１０°から５０°の間の角度を形成する。
【００２９】
リールは５から１２ｍｍの間の直径を有する。
【００３０】
人工まつ毛はまつ毛ユニットに組み合わされる。
【００３１】
ユニットは、２つの連続したユニット間で一定の間隔に離隔されながら担持体ストリップに固定され、好ましくはまつ毛の方向は担持体ストリップの長手方向と平行である。
【００３２】
各ユニットは一房のまつ毛と、まつ毛を一房に接続する接続ストリップとを備え、各まつ毛は一方の端部で接続ストリップに接続され、まつ毛の他方の端部は自由端である。
【００３３】
接続ストリップは前記担持体ストリップに直角に配向される。
【００３４】
ユニットは、まつ毛が小出し開口部の方に送り出されるとき、最初に接続ストリップが小出し開口部の方に送り出されるように担持体ストリップ上に配置される。
【００３５】
接続ストリップは担持体ストリップから距離を置いて存在する。
【００３６】
各人工まつ毛ユニットは、その長手方向のまつ毛の中央部の区域で前記担持体ストリップに接着される。
【００３７】
ストリップは複数の別々の接着剤区域を備え、各人工まつ毛ユニットは、その長手方向のまつ毛の中央部の区域で接着剤区域に接着される。
【００３８】
まつ毛ユニットは５から８ｍｍの間の、好ましくは７．５ｍｍに等しい幅を有する。
【００３９】
まつ毛は８から１５ｍｍの間の、好ましくは１０ｍｍに等しい長さを有する。
【００４０】
本発明は人工まつ毛をつけるためのアセンブリも提案し、アセンブリは、
前記請求項のいずれかに記載の少なくとも１つの装置と、
接着剤をまつ毛ユニットに塗布可能な接着剤の瓶と、
前記接着剤を溶解可能な製剤の瓶とを備える。
【００４１】
したがって、多数の人工まつ毛ユニットが保管されることを可能にし、これらのユニットが必要に応じて小出しされることを可能にするハウジングを設計することが可能である。
【００４２】
装置は、多数の人工まつ毛ユニットがコンパクトに保管され、小出しされることを可能にする。
【００４３】
加えて、使用者による装置の取扱い方は人工まつ毛をつけることに楽しみの側面を与え、装置は、この分野で従来から使用されている箱と比較してその操作がシンプルかつ革新的である。
【００４４】
本発明の他の特徴、目的、および利点は、以下の説明からより明らかとなり、以下の説明は、単に例示的かつ非限定的な例としてなされ、添付の図面を参照して読まれるべきである。
【図面の簡単な説明】
【００４５】
【図１】本発明の実施形態による人工まつ毛小出し装置を概略的に示す図である。
【図２ａ】人工まつ毛ユニットが固定される担持体ストリップを示す図である。
【図２ｂ】人工まつ毛ユニットのない担持体ストリップを示す図である。
【図２ｃ】まつ毛ユニットの担持体ストリップ上への配置の平面図である。
【図２ｄ】まつ毛ユニットの担持体ストリップ上への配置の側面図である。
【図３】瞼上に配置された人工まつ毛の結果を示す図である。
【図４】図１の装置の小出し開口部を示す図である。
【図５ａ】人工まつ毛小出し装置の代替的実施形態を示す図である。
【図５ｂ】図５ａの実施形態の平面図である。
【図５ｃ】図５ａに示された区域Ａによって区切られた小出し開口部の詳細図である。
【図６】図１または図５ａの装置で使用されるスプールの外形図である。
【図７】本発明による小出し装置を備える、人工まつ毛をつけるためのキットを示す図である。
【発明を実施するための形態】
【００４６】
本発明による人工まつ毛小出し装置の例が図１に示される。
【００４７】
この装置１はハウジング１０を備え、ハウジングはポリプロピレン（ＰＰ）、ポリエチレン（ＰＥ）、アクリロニトリルブタジエンスチレン（ＡＢＳ）、スチレンアクリロニトリル（ＳＡＮ）またはポリエチレンテレフタレート（ＰＥＴ）、ポリエチレンテレフタレートグリコール修飾（ＰＥＴＧ）、Ｓｕｒｌｙｎ（Ｒ）樹脂またはポリオキシメチレン（ＰＯＭ）などのプラスチック材料で作製されることが好ましい。ハウジングは、アルミニウム、Ｚａｍａｋ等の金属で作製されてもよい。
【００４８】
このハウジング１０は、それが含む要素が見えるように透明であってもよく、または対照的に不透明であってもよい。
【００４９】
ハウジング１０には、個人によって使用されるためにまつ毛が出る小出し開口部１１と、上述のようにハウジング１０の内側に配置された小出し機構が作動されることを可能にする開口部１２とが設けられている。
【００５０】
小出し機構は人工まつ毛用の担持体ストリップ３０を備える。複数の人工まつ毛４１がこのストリップ３０に固定され、これらのまつ毛はまつ毛ユニット４０の形態でグループ化されることが好ましい。
【００５１】
ユニットのストリップ３０への固定は、ストリップ上の接着剤塗膜によって保証されることが好ましく、塗膜は、小出しされるべきユニット４０がまつ毛４１を損傷せずに取り外されることを可能にするのに適した特性を有する。
【００５２】
図２ａを参照すると、各まつ毛ユニット４０は一房のまつ毛４１および接続ストリップ４２を備える。まつ毛は一方の端部で、好ましくはそれらの基部で、接続ストリップ４２によって相互接続され、他方の端部は自由端である。
【００５３】
人工まつ毛４１および接続ストリップ４２は合成繊維、典型的にはポリブチレンテレフタレート（ＰＢＴ）で作製され、任意の知られている方法によって接続ストリップ４２に接続され、例えばそれらは接続ストリップに接着されてもよく、またはそれと一体に形成されてもよい。それらは接続ストリップに縫い付けられてもよく、またはそれに溶接されてもよい。
【００５４】
有利に、図２ｂに示されるように、ストリップ３０は複数の別々の接着剤区域３５を有し、前記区域は例えば接着剤塗膜で覆われ、ストリップの残りの部分は接着性ではない。
【００５５】
図２ｃで分かるように、小出しされるべきユニット４０は、まつ毛の端部も接続ストリップも接着しないように、その長手方向のまつ毛の中央部の区域で前記区域３５に接着される。例えば、まつ毛が長さ１０ｍｍである場合、まつ毛ユニットには、まつ毛長さの半分にわたる中心部にあるストリップ５ｍｍにわたって接着剤が塗布されていてもよい。
【００５６】
このことはいくつかの利点を有する。まつ毛が使用者の目の上に配置された後にまつ毛の端部がまつ毛の外観を変えないように、まつ毛の端部は互いに離されたままにされる。さらに、まつ毛ユニット上の接着剤の残留物が、まつ毛を全て接着するのと比較して軽減され、特に、まつ毛の自由端のそれぞれが隣接するまつ毛にくっつかない。したがって、まつ毛ユニットの審美性が維持される。
【００５７】
最後に、図２ｄで分かるように、まつ毛はそれらの長さの中央部でストリップ上に保持されることから、まつ毛の端部は、まつ毛が他方の端部によってストリップに固定される場合よりも少ししか突き出ない。
【００５８】
言い換えれば、ユニットのまつ毛の端部とストリップ３０との間には高さＨが存在し、それは、まつ毛ユニットが接続ストリップでストリップ３０に接着された場合の同じ高さＨ’と比較して低減される。これらの高さは例示としてそれぞれ図２ｄおよび図５ａの例に示される。
【００５９】
結果として、まつ毛が小分け装置内で移動されるとき、まつ毛の端部はハウジング１０の壁と接触しておらず、したがって小分け装置内で自由に移動できる。
【００６０】
まつ毛ユニット４０は、まつ毛が担持体ストリップ３０の長手方向と平行に配向されるように担持体ストリップ３０に固定されることが好ましく、したがって接続ストリップ４２はこの方向に対して直角方向にある。
【００６１】
さらに、まつ毛ユニット４０は、２つの連続したユニット間で一定の間隔に離隔されるように担持体ストリップ３０にわたって規則的に分配されることが好ましい。典型的に、この間隔は５から２０ｍｍの間であってもよい。
【００６２】
図３を参照すると、まつ毛４１は８から１５ｍｍの間の、好ましくは１０ｍｍに等しい長さＬを有する。
【００６３】
まつ毛ユニット４０それ自体は４から８ｍｍの間の、好ましくは４から５ｍｍの間の幅ｌを有する。この幅は、従来から市販されているまつ毛ユニットよりも小さい。まつ毛ユニット４０がつけられた個人の瞼を模倣した図３で分かるように、使用者の瞼の幅全体をカバーするために、複数のまつ毛ユニット４０を瞼につけることが必要である。
【００６４】
まつ毛ユニット４０の幅ｌの低減は、ユニットが固定される担持体ストリップ３０の幅を低減する結果、小出し装置１が占める嵩を低減することを可能にする。
【００６５】
再度図１を参照すると、小出し機構は、まつ毛ユニット４０を小出し開口部１１の方に送り出す担持体ストリップ移動機構を備える。
【００６６】
移動機構は、ハウジング１０に対して回転可能に装着されたリール２０を備える。担持体ストリップ３０の第１長手方向端部はリールに固定され、小出しされるべき人工まつ毛ユニットが固定されるストリップの部分３１はリール２０の周りに巻き付けられる。したがってリール２０は小出し開口部１１の上流に位置決めされ、さらにはストリップの経路の出発点を形成してもよい。
【００６７】
リールの周りに巻き付けられるストリップの部分３１はまつ毛ユニット４０の予備を形成する。より詳しくは、装置１の寸法は数メートルの担持体ストリップ３０、例えば０．５から２メートルの間のストリップが巻き付けられるのを可能にしてもよく、このことは、６０から１８０個の人工まつ毛ユニットが保管されることを可能にする。このことは、使用者が人工まつ毛の凡そ１０から３０日分の価値を有することを可能にする。
【００６８】
リールの周りに巻き付けられるべきストリップの長さ、ならびにリールの円形断面の直径は、ストリップのリールの周りへの巻き付けが、小出しされた後のまつ毛の曲率半径を著しく変更しないように適合されなければならない。
【００６９】
例えば、リールの円形断面の直径が低過ぎる場合、リールの外側表面に最も近いストリップの部分上のまつ毛は高過ぎる曲率半径を有することになる。
【００７０】
したがって、リールの円形断面の直径は５から１２ｍｍの間である。
【００７１】
また、ストリップの巻き付けはリールの周りに円筒を形成し、円筒の直径は巻き付けられたストリップの長さと共に徐々に増大する。巻き付けられたストリップの長さが大き過ぎる場合、そのようにして形成された円筒の直径が大き過ぎることになり、巻き付けの周囲部でストリップに固定されたまつ毛の曲率半径が低過ぎることになる。
【００７２】
上記のストリップの巻き付け長さはこの結果を考慮に入れている。リールの周りに巻き付けられたストリップによって形成された円筒の断面の直径は、最大で３０ｍｍの直径を有してもよい。したがって小出し装置１は、従来型の箱とは対照的に、リールの周りに巻き付けられるストリップによって相当数の人工まつ毛ユニットが実際に極めてコンパクトに保管されることを可能にする。
【００７３】
リール２０は円形断面を有する円筒の形態にあり、円筒はその回転軸を中心に回転運動可能であり、担持体ストリップ３０の幅以上の長さを有する。このことは、担持体ストリップ３０が円筒２０の外側表面上に十分に載ることを可能にする。
【００７４】
リールはハウジング１０と同じ材料で作製されてもよい。
【００７５】
担持体ストリップ３０を移動させるためのシステムはスプール２１をさらに備え、スプールはハウジング１０に対して回転可能に装着されている。スプール２１はストリップの経路上の小出し開口部１１の下流にある。
【００７６】
リールに固定されない担持体ストリップ３０の第２長手方向端部はスプール２１に固定され、まつ毛ユニットが取り外されたストリップの部分３３はスプールの周りに巻き付けられる。
【００７７】
リール２０と同様に、スプール２１は円形断面を有する円筒の形状であり、円筒はその回転軸を中心に回転運動可能であり、担持体ストリップ３０の幅以上の長さを有する。このことは、担持体ストリップ３０がスプール２１の外側表面上に十分に載ることを可能にする。
【００７８】
スプール２１はハウジング１０と同じ材料で作製されてもよい。
【００７９】
リール２０の周りに巻き付けられた部分３１とスプール２１の周りに巻き付けられた部分３３との間に位置する担持体ストリップ３０の中間部分３２が小出し開口部１１の付近を通過する。
【００８０】
この部分３２は、ハウジングに対して回転可能に装着された円形断面を有するピンまたは滑車の形態にある偏向要素２４上に載る。この偏向要素２４は小出し開口部１１の付近に、即ち、小出し開口部からまつ毛の長さ未満の距離を置いて配置される。
【００８１】
担持体ストリップ３０は偏向要素によって引っ張られ、リール２０とスプール２１の間のその経路で偏向要素の周りを、方向を変えながら通過する。
【００８２】
偏向要素２４の位置とその直径とは、担持体ストリップ３０が要素２４の周りを通過するとき、まつ毛ユニット４０が部分的に担持体ストリップ３０から取り外され、小出し開口部を通って装置１から出るように適合される。
【００８３】
例えば、偏向要素の上流の担持体ストリップの方向Ｄ１と偏向要素の下流の担持体ストリップの方向Ｄ２とは、１°から９０°の間、好ましくは１０°から５０°の間の角度αを形成する。
【００８４】
偏向要素２４の半径は、ストリップが偏向要素の周りをこの外側表面上に載りながら通過するとき、ストリップが同じ曲率半径を採るように、偏向要素の外側表面が０．５から４０ｍｍの間の曲率半径を有するように選択される。
【００８５】
さらに、まつ毛ユニット４０は、担持体ストリップ３０が偏向要素２４の周りを通過するときに採る曲率とまつ毛の自然の曲率とが逆になるように、ストリップ上に配置される。
【００８６】
したがって、図４および図５ａで分かるように、ストリップが偏向要素に到達し、前記要素を中心に旋回することによって方向を変える際、下流に位置するユニット４０の端部はストリップ３０から外され、小出し開口部１１を通って出る。
【００８７】
図５ａの実施形態では、偏向要素２４はピンまたは滑車ではなく、上述の方向Ｄ１およびＤ２に配向されてそれらの間に角度αを形成する２つの表面２４１、２４２を備える固定要素である。この事例では、第１表面はストリップが偏向要素の周りを通過する前のストリップ３０のための支持体を形成する。
【００８８】
小出しされるべきユニット４０は、担持体ストリップが小出し開口部の方に移動されるときに最初にまつ毛４１の接続ストリップ４２が小出し開口部の方に送り出されるように、担持体ストリップ上に配置されることが好ましい。
【００８９】
このようにして、担持体ストリップ３０から取り外され、小出し開口部１１を通って装置を出るのは接続ストリップ４２である。しかし、まつ毛の自由端はストリップに接着されたままとなる。
【００９０】
ストリップがこの位置にあるとき、使用者は、ユニットを装置１から手動で取り外す前に接続ストリップ４２を取り外すことができる。したがってこの取り外しステップ中、ユニット４０はまつ毛の自由端によって担持体ストリップ３０上に保持され、使用者は手でまつ毛を保持する必要がない。この結果、人工まつ毛が取り外されている間に損傷される危険が低くなる。
【００９１】
また、接着剤をまつ毛ユニットに塗布しそれらをつけるためのまつ毛ユニット４０の取扱いをより容易にするために、ハウジング１０内に作製された小出し開口部１１の縁部１１１、１１２は、図４、図５ａ、および図５ｃに示されるようにピンセットの形態であることが好ましい。
【００９２】
したがって小出し開口部１１の縁部１１１、１１２は２つの突出部を備えてもよく、２つの突出部は、互いに向かって配向されており、つけまつ毛ユニットが出る開口部１０の両側上に互いに対向するように配置されている。
【００９３】
前記縁部の延長部に配置されるハウジング１０の壁１０１、１０２は、使用者が圧力を用いてこれらの壁を変形してピンセットの２つの突出部を互いに近づけることができるように、変形可能であるように柔軟であることが好ましい。
【００９４】
これらの柔軟壁１０１、１０２の好ましい実施形態が図５ａおよび図５ｂに示される。開口部１１の縁部１１１、１１２の延長部内の、ストリップ３０の中間部分３２の両側に位置するハウジングの区域は、上方区域１０３および下方区域１０４と呼ばれる。これらの区域はスプールおよびリールの回転軸と平行に延在する表面に沿って延在する。
【００９５】
これらの区域それぞれにおいてスロットＦが作製され、スロットは、前記壁を一方の端部で前記区域に接続されるように保持することのみによって、柔軟壁１０１、１０２が部分的にこれらの区域の残りの部分から引き離されることを可能にする。スロットＦは有利に、柔軟壁にタブの形状を与えるように相互に実質的に平行である。
【００９６】
縁部１１１、１１２によって延長される柔軟壁１０１、１０２は弾性変形可能であり、使用者はそれに圧力を掛けることによって縁部を一緒に近づけて、まつ毛ユニットを把持することができ、接着剤を塗布するまたはまつ毛ユニットを瞼につけるステップのためにまつ毛ユニットを定位置に保持することができる。
【００９７】
好ましくは、図５ａに示されるように、柔軟壁はハウジング１０から突出するような形状であってもよい。したがって、使用者はより容易に壁１０１、１０２を押し下げることができ、それらを互いの方に押圧して開口部の縁部１１１、１１２を、その動きに対するハウジングの固定区域１０３、１０４の反作用なしに一緒に近づけることができる。
【００９８】
図５ａに示される実施形態では、柔軟壁１０１、１０２は小出し開口部１１から、３０から５０ｍｍの間の、有利には４０ｍｍの距離を置いて配置される。
【００９９】
壁の柔軟性を保証するために、壁はハウジングの残りの部分と同じ材料で作製されてもよく、これはより剛質であるが、この柔軟性を提供するためにより低い厚さを有する。
【０１００】
代替として、壁はハウジングの残りの部分よりも柔軟である材料で作製されてもよい。
【０１０１】
さらに、小出し開口部１１に対するリール２０の位置は、非限定的に、リール２０と小出し開口部１１との間の担持体ストリップ３０の長さが、片目または両目をカバーするのに充分な量のまつ毛ユニット４０を有して、同片目または両目につけられたまつ毛ユニット４０が同一の曲率を有するように定められてもよい。
【０１０２】
非限定的な例として、以下のパラメータが考慮に入れられる：
担持体ストリップ３０上では、２つの連続したまつ毛ユニット４０の間に５ｍｍの間隔がある。
まつ毛ユニット４０は、１つの瞼をカバーするために３つの人工まつ毛ユニットが必要とされるように５ｍｍの幅ｌを有する。
まつ毛は１０ｍｍに等しい長さＬを有する。
【０１０３】
この事例では、リールと小出し開口部１１との間で引っ張られる担持体ストリップ３０の部分が両目に充分なまつ毛ユニット４０、即ち６つのまつ毛ユニットを備えるように、リールと偏向要素との間の距離は９０ｍｍ以上でなければならない。この距離は、担持体ストリップ３０のこの部分が片目に充分なまつ毛ユニットを備えるように４５ｍｍに低減される。
【０１０４】
動作中、偏向要素２４の下流に位置する担持体ストリップ３０の部分は、まつ毛ユニットが小出し開口部を通して取り外されていることから、もはやまつ毛ユニットを保持していない。担持体ストリップのこの部分はスプール３３のところまで送り出される。
【０１０５】
最後に、担持体ストリップ３０の移動を引き起こすために、小出し装置１は、開口部１２を介して動かせるスクロールホィールを備える作動機構２３をさらに備える。
【０１０６】
スクロールホィール２３は、開口部１２を通ってハウジング１０の外に突き出る歯車を備えてもよい。したがって、スプール２１は、使用者がスクロールホィールを回すとスクロールホィール２３の歯車と噛み合う歯車２２を備える。
【０１０７】
噛み合いによってスプール２１が回転され、担持体ストリップ３０がスプールの周りに巻き付けられる。この巻き付けによってリール２０とスプール２１との間に延在する担持体ストリップ３０の部分が移動され、したがってまつ毛ユニット４０が小出し開口部の方に送り出され、それに伴って上述の小出し開口部の区域でまつ毛が取り外される。この移動によって担持体ストリップがリール２０から巻き戻される。
【０１０８】
使用者が前記ホィールをスプール２１が巻き戻される方向に回転することができないように、スクロールホィール２３の一方向の回転を阻止するための機構も提供できる。
【０１０９】
図５ａに示される実施形態では、スクロールホィール２３は、回転されるとスプールをその上で直接回転させストリップを前記スプールに巻き付けさせるように、スプール２１（この図には示されない）と同心に接続される。
【０１１０】
代替として、２つの噛み合う歯車を備える作動機構はスプール２１から突き出るボタン２３と置き換えられてもよく、ボタン２３はスプール２１の端部を通る断面と隣接するように装着される。この代替形態は、概略的に図６の外形図に示されている。したがってボタン２３はハウジング１０内の開口部１２を介してアクセス可能であり、ボタンには、使用者がスプールを直接回転させるために爪を置くことができるスロット２５が設けられている。
【０１１１】
この作動機構２３を使用して、使用者は特定数のまつ毛ユニット４０を得るためにストリップを精確に移動させることができる。
【０１１２】
本発明による装置１は、多数のまつ毛ユニットが中に保管され、限られた嵩から分配されることを可能にする。さらに、ストリップ移動機構は、まつ毛が取扱い中に損傷されるのを防止することから、楽しみがあると共に実用的な使用を可能にする。リールの周りに巻き付けられたストリップの巻回部の間のハウジング内側に保管されたまつ毛ユニットは保護され、使用者はハウジングの内部にアクセスできない。
【０１１３】
図７に示されるように、人工まつ毛をつけるための完全なキット１００の一部として１つまたは複数の装置１が販売されることが考えられ、キットは、まつ毛ユニット４０の接続ストリップ４２に接着剤を塗布するための接着剤の瓶５１と前記接着剤を溶解するための溶解液の瓶５２とをさらに備える。
【図１】
0006473413.tif 000002
【図２ａ】
0006473413.tif 000003
【図２ｂ】
0006473413.tif 000004
【図２ｃ】
0006473413.tif 000005
【図２ｄ】
0006473413.tif 000006
【図３】
0006473413.tif 000007
【図４】
0006473413.tif 000008
【図５ａ】
0006473413.tif 000009
【図５ｂ】
0006473413.tif 000010
【図５ｃ】
0006473413.tif 000011
【図６】
0006473413.tif 000012
【図７】
0006473413.tif 000013